(57)【特許請求の範囲】
【請求項１】
一端部と、前記一端部に連結部を介して連結された他端部と、前記一端部と他端部の間のリング状部とを有し、前記一端部側の端面から入射して前記リング状部へ導入される光及び前記他端部側の端面から入射して前記リング状部へ導入される光によって発光するリング状発光体を用いた照明装置において、
前記一端部側の端面から入射して前記リング状部へ導入される光を照射する第１光源と、前記他端部側の端面から入射して前記リング状部へ導入される光を照射する第２光源と、前記第１光源と前記リング状発光体の一端部側の端面との間に配置された第１光学系と、前記第２光源と前記リング状発光体の他端部側の端面との間に配置された第２光学系と、前記第１光源、第２光源、第１光学系及び第２光学系を収容するケースと、を含む光源ユニットと、を備え、
前記第１光学系は、前記第１光源の正面に配置され、前記第１光源から正面方向へ照射される照射光を平行光に変換して前記リング状発光体の一端部側の端面に向けて出射する第１コリメートレンズ部と、前記第１光源の周囲を覆うように配置され、前記第１光源から側方へ照射される照射光を集光して前記リング状発光体の一端部側の端面に向けて出射する第１集光レンズ部を含み、
前記第２光学系は、前記第２光源の正面に配置され、前記第２光源から正面方向へ照射される照射光を平行光に変換して前記リング状発光体の他端部側の端面に向けて出射する第２コリメートレンズ部と、前記第２光源の周囲を覆うように配置され、前記第２光源から側方へ照射される照射光を集光して前記リング状発光体の他端部側の端面に向けて出射する第２集光レンズ部を含み、
前記第１光源及び第２光源が実装された基板と、
前記第１光学系及び第２光学系を含むレンズ付きカバーと、
前記ケースに設けられた位置決め用ピンと、をさらに備え、
前記基板には、前記基板の前記ケースに対する位置決めのために、前記位置決め用ピンが挿入される開口が形成されており、
前記レンズ付きカバーには、前記第１光学系及び第２光学系の前記第１光源及び第２光源に対する位置決めのために、前記位置決め用ピンが挿入される開口が形成されており、
前記リング状発光体には、前記リング状発光体の一端部側の端面及び他端部側の端面の前記第１光学系及び第２光学系に対する位置決めのために、前記位置決め用ピンが挿入される開口が形成されていることを特徴とするリング状発光体を用いた照明装置。
【請求項２】
前記リング状発光体の開口は、前記連結部に形成されていることを特徴とする請求項１に記載のリング状発光体を用いた照明装置。
【請求項３】
前記リング状発光体の一端部側の端面及び他端部側の端面は、平面であり、
前記第１コリメートレンズ部の出射面及び第１集光レンズ部の出射面は、前記リング状発光体の一端部側の端面に対して平行かつ所定間隔をおいて対向する平面である共通の出射面であり、
前記第２コリメートレンズ部の出射面及び第２集光レンズ部の出射面は、前記リング状発光体の他端部側の端面に対して平行かつ所定間隔をおいて対向する平面である共通の出射面であることを特徴とする請求項１又は２に記載のリング状発光体を用いた照明装置。
【請求項４】
一端部と、前記一端部に連結部を介して連結された他端部と、前記一端部と他端部の間のリング状部とを有し、前記一端部側の端面から入射して前記リング状部へ導入される光及び前記他端部側の端面から入射して前記リング状部へ導入される光によって発光するリング状発光体に入射し、前記リング状部へ導入される光を照射する光源ユニットにおいて、
前記一端部側の端面から入射して前記リング状部へ導入される光を照射する第１光源と、
前記他端部側の端面から入射して前記リング状部へ導入される光を照射する第２光源と、
前記第１光源と前記リング状発光体の一端部側の端面との間に配置された第１光学系と、
前記第２光源と前記リング状発光体の他端部側の端面との間に配置された第２光学系と、
前記第１光源、第２光源、第１光学系及び第２光学系を収容するケースと、を備え、
前記第１光学系は、前記第１光源の正面に配置され、前記第１光源から正面方向へ照射される照射光を平行光に変換して前記リング状発光体の一端部側の端面に向けて出射する第１コリメートレンズ部と、前記第１光源の周囲を覆うように配置され、前記第１光源から側方へ照射される照射光を集光して前記リング状発光体の一端部側の端面に向けて出射する第１集光レンズ部を含み、
前記第２光学系は、前記第２光源の正面に配置され、前記第２光源から正面方向へ照射される照射光を平行光に変換して前記リング状発光体の他端部側の端面に向けて出射する第２コリメートレンズ部と、前記第２光源の周囲を覆うように配置され、前記第２光源から側方へ照射される照射光を集光して前記リング状発光体の他端部側の端面に向けて出射する第２集光レンズ部を含み、
前記第１光源及び第２光源が実装された基板と、
前記第１光学系及び第２光学系を含むレンズ付きカバーと、
前記ケースに設けられた位置決め用ピンと、をさらに備え、
前記基板には、前記基板の前記ケースに対する位置決めのために、前記位置決め用ピンが挿入される開口が形成されており、
前記レンズ付きカバーには、前記第１光学系及び第２光学系の前記第１光源及び第２光源に対する位置決めのために、前記位置決め用ピンが挿入される開口が形成されており、
前記リング状発光体には、前記リング状発光体の一端部側の端面及び他端部側の端面の前記第１光学系及び第２光学系に対する位置決めのために、前記位置決め用ピンが挿入される開口が形成されていることを特徴とする光源ユニット。
【請求項５】
一端部と、前記一端部に連結部を介して連結された他端部と、前記一端部と他端部の間のリング状部とを有し、前記一端部側の端面から入射して前記リング状部へ導入される光及び前記他端部側の端面から入射して前記リング状部へ導入される光によって発光するリング状発光体において、
前記連結部には、前記リング状発光体の一端部側の端面及び他端部側の端面の、請求項４に記載の光源ユニットの前記第１光学系及び第２光学系に対する位置決めのために、前記光源ユニットに設けられた位置決め用ピンが挿入される開口が形成されていることを特徴とするリング状発光体。
【請求項６】
前記リング状発光体は車両用灯具の外周に沿って組み付けられ、さらに、前記光源ユニットはハウジングに組み付けられていることを特徴とする請求項１から３のいずれかに記載のリング状発光体を用いた照明装置。
【発明の詳細な説明】
【技術分野】
【０００１】
本発明は、リング状発光体を用いた照明装置に係り、特にリング状発光体の輝度をさらに向上させることが可能な照明装置に関する。
【背景技術】
【０００２】
従来、リング状に発光するリング状発光体を用いた照明装置が知られている。（例えば特許文献１参照）。
【０００３】
図７は、特許文献１に記載のリング状発光体を用いた照明装置の構成を説明するための斜視図である。
【０００４】
図７に示すように、特許文献１に記載の照明装置において用いられるリング状発光体１０´は、一端部１１´、一端部１１´に対して平行かつ隣接させた状態の他端部１２´、一端部１１´と他端部１２´の間のリング状部１３´とを備えている。リング状発光体１０´の一端部１１´側の端面１１ａ´及び他端部１２´側の端面１２ａ´はそれぞれＬＥＤ光源２０´、２０´に対向している。
【０００５】
リング状発光体１０´は、一端部１１´側の端面１１ａ´及び他端部１２´側の端面１２ａ´からそれぞれ入射しリング状部１３´に導入される光がリング状部１３´の長手方向に沿って導光されるとともに、一部がリング状部１３´の表面１３ａ´から照射されることによってリング状に発光する。
【特許文献１】特開２００３−２９７１０８号公報
【発明の開示】
【発明が解決しようとする課題】
【０００６】
しかしながら、上記特許文献１に記載の照明装置においては、リング状発光体には、ＬＥＤ光源２０´、２０´の照射範囲に照射される照射光のうち主にＬＥＤ光源２０´、２０´から正面方向に照射される照射光が入射する構成となっている。このため、リング状部１３´の輝度をさらに向上させることが困難であるという問題がある。
【０００７】
本発明は、このような事情に鑑みてなされたものであり、リング状発光体の輝度をさらに向上させることが可能なリング状発光体を用いた照明装置を提供することを目的とする。
【課題を解決するための手段】
【０００８】
上記課題を解決するために、請求項１に記載の発明は、一端部と、前記一端部に連結部を介して連結された他端部と、前記一端部と他端部の間のリング状部とを有し、前記一端部側の端面から入射して前記リング状部へ導入される光及び前記他端部側の端面から入射して前記リング状部へ導入される光によって発光するリング状発光体を用いた照明装置において、前記一端部側の端面から入射して前記リング状部へ導入される光を照射する第１光源と、前記他端部側の端面から入射して前記リング状部へ導入される光を照射する第２光源と、前記第１光源と前記リング状発光体の一端部側の端面との間に配置された第１光学系と、前記第２光源と前記リング状発光体の他端部側の端面との間に配置された第２光学系と、前記第１光源、第２光源、第１光学系及び第２光学系を収容するケースと、を含む光源ユニットと、を備え、前記第１光学系は、前記第１光源の正面に配置され、前記第１光源から正面方向へ照射される照射光を平行光に変換して前記リング状発光体の一端部側の端面に向けて出射する第１コリメートレンズ部と、前記第１光源の周囲を覆うように配置され、前記第１光源から側方へ照射される照射光を集光して前記リング状発光体の一端部側の端面に向けて出射する第１集光レンズ部を含み、前記第２光学系は、前記第２光源の正面に配置され、前記第２光源から正面方向へ照射される照射光を平行光に変換して前記リング状発光体の他端部側の端面に向けて出射する第２コリメートレンズ部と、前記第２光源の周囲を覆うように配置され、前記第２光源から側方へ照射される照射光を集光して前記リング状発光体の他端部側の端面に向けて出射する第２集光レンズ部を含み、前記第１光源及び第２光源が実装された基板と、前記第１光学系及び第２光学系を含むレンズ付きカバーと、前記ケースに設けられた位置決め用ピンと、をさらに備え、前記基板には、前記基板の前記ケースに対する位置決めのために、前記位置決め用ピンが挿入される開口が形成されており、前記レンズ付きカバーには、前記第１光学系及び第２光学系の前記第１光源及び第２光源に対する位置決めのために、前記位置決め用ピンが挿入される開口が形成されており、前記リング状発光体には、前記リング状発光体の一端部側の端面及び他端部側の端面の前記第１光学系及び第２光学系に対する位置決めのために、前記位置決め用ピンが挿入される開口が形成されていることを特徴とする。
【０００９】
請求項１に記載の発明によれば、第１光源とリング状発光体の一端部側の端面との間には第１光学系（第１コリメートレンズ部及び第１集光レンズ部）が、第２光源とリング状発光体の他端部側の端面との間には第２光学系（第２コリメートレンズ部及び第２集光レンズ部）が、それぞれ配置されている。
【００１０】
このため、請求項１に記載の発明によれば、第１光源及び第２光源の照射範囲（正面及び側方）に照射される照射光のほぼ全てをリング状発光体に入射させることが可能となる。これにより、従来と比べて、リング状発光体の輝度を向上させることが可能となる。
【００１２】
また、請求項１に記載の発明によれば、共通の位置決めピンを用いたので、リング状発光体（の両端面）に対する各光学要素（第１光源、第２光源、第１光学系、第２光学系）及び各光学要素間の位置決めを同時に行うことが可能となる。また、リング状発光体（の両端面）に対する各光学要素（第１光源、第２光源、第１光学系、第２光学系）及び各光学要素間の位置決めのバラツキ等を抑えることが可能となり、第１光源、第２光源からの照射光を、リング状発光体に効率よく入射させることが可能となる。これにより、従来と比べて、リング状発光体の輝度を向上させることが可能となる。
【００１３】
請求項２に記載の発明は、請求項１に記載の発明において、前記リング状発光体の開口は、前記連結部に形成されていることを特徴とする。
【００１４】
請求項２に記載の発明によれば、連結部に位置決め用ピンが挿入される開口を形成することにより、該連結部を一端部と他端部とを連結する用途だけでなく、位置決めにも利用することが可能となる（該開口を形成するための部位の新規追加が不要）。
【００１５】
請求項３に記載の発明は、請求項１又は２に記載の発明において、前記リング状発光体の一端部側の端面及び他端部側の端面は、平面であり、前記第１コリメートレンズ部の出射面及び第１集光レンズ部の出射面は、前記リング状発光体の一端部側の端面に対して平行かつ所定間隔をおいて対向する平面である共通の出射面であり、前記第２コリメートレンズ部の出射面及び第２集光レンズ部の出射面は、前記リング状発光体の他端部側の端面に対して平行かつ所定間隔をおいて対向する平面である共通の出射面であることを特徴とする。
【００１６】
請求項３に記載の発明によれば、共通の出射面（第１コリメートレンズ部の出射面及び第１集光レンズ部の出射面、並びに、第２コリメートレンズ部の出射面及び第２集光レンズ部の出射面）、並びに、リング状発光体の一端部側の端面及び他端部側の端面はいずれも平面である。そして、共通の出射面（第１コリメートレンズ部の出射面及び第１集光レンズ部の出射面、並びに、第２コリメートレンズ部の出射面及び第２集光レンズ部の出射面）は、リング状発光体の一端部側の端面に対して平行かつ所定間隔をおいて対向した状態となる。
【００１７】
このため、例えば、仮に位置決め用ピン、レンズ付きカバー等の寸法誤差により、共通の出射面（第１コリメートレンズ部の出射面及び第１集光レンズ部の出射面、並びに、第２コリメートレンズ部の出射面及び第２集光レンズ部の出射面）とリング状発光体の一端部側の端面（共通の出射面とリング状発光体の他端部側の端面も同様）の位置関係が多少ズレることになったとしても、共通の出射面又は端面の少なくとも一方が曲面である場合と比べて、第１光源（第２光源も同様）からの照射光を、リング状発光体の一端部側の端面（他端部側の端面も同様）から効率よく入射させることが可能となる。これにより、従来と比べて、リング状発光体の輝度を向上させることが可能となる。
【００１８】
また、請求項３に記載の発明によれば、共通の出射面及びリング状発光体の一端部側の端面（一端部側の端面も同様）はいずれも平面である。このため、第１光源及び第２光源から照射され共通の出射面から出射される光の散乱を防止することが可能となる。
【００１９】
請求項４に記載の発明は、一端部と、前記一端部に連結部を介して連結された他端部と、前記一端部と他端部の間のリング状部とを有し、前記一端部側の端面から入射して前記リング状部へ導入される光及び前記他端部側の端面から入射して前記リング状部へ導入される光によって発光するリング状発光体に入射し、前記リング状部へ導入される光を照射する光源ユニットにおいて、前記一端部側の端面から入射して前記リング状部へ導入される光を照射する第１光源と、前記他端部側の端面から入射して前記リング状部へ導入される光を照射する第２光源と、前記第１光源と前記リング状発光体の一端部側の端面との間に配置された第１光学系と、前記第２光源と前記リング状発光体の他端部側の端面との間に配置された第２光学系と、前記第１光源、第２光源、第１光学系及び第２光学系を収容するケースと、を備え、前記第１光学系は、前記第１光源の正面に配置され、前記第１光源から正面方向へ照射される照射光を平行光に変換して前記リング状発光体の一端部側の端面に向けて出射する第１コリメートレンズ部と、前記第１光源の周囲を覆うように配置され、前記第１光源から側方へ照射される照射光を集光して前記リング状発光体の一端部側の端面に向けて出射する第１集光レンズ部を含み、前記第２光学系は、前記第２光源の正面に配置され、前記第２光源から正面方向へ照射される照射光を平行光に変換して前記リング状発光体の他端部側の端面に向けて出射する第２コリメートレンズ部と、前記第２光源の周囲を覆うように配置され、前記第２光源から側方へ照射される照射光を集光して前記リング状発光体の他端部側の端面に向けて出射する第２集光レンズ部を含み、前記第１光源及び第２光源が実装された基板と、前記第１光学系及び第２光学系を含むレンズ付きカバーと、前記ケースに設けられた位置決め用ピンと、をさらに備え、前記基板には、前記基板の前記ケースに対する位置決めのために、前記位置決め用ピンが挿入される開口が形成されており、前記レンズ付きカバーには、前記第１光学系及び第２光学系の前記第１光源及び第２光源に対する位置決めのために、前記位置決め用ピンが挿入される開口が形成されており、前記リング状発光体には、前記リング状発光体の一端部側の端面及び他端部側の端面の前記第１光学系及び第２光学系に対する位置決めのために、前記位置決め用ピンが挿入される開口が形成されていることを特徴とする。
【００２０】
請求項４に記載の発明によれば、第１光源とリング状発光体の一端部側の端面との間には第１光学系（第１コリメートレンズ部及び第１集光レンズ部）が、第２光源とリング状発光体の他端部側の端面との間には第２光学系（第２コリメートレンズ部及び第２集光レンズ部）が、それぞれ配置されている。
【００２１】
このため、請求項４に記載の発明によれば、第１光源及び第２光源の照射範囲（正面及び側方）に照射される照射光のほぼ全てをリング状発光体に入射させることが可能となる。これにより、従来と比べて、リング状発光体の輝度を向上させることが可能となる。
【００２２】
請求項５に記載の発明は、一端部と、前記一端部に連結部を介して連結された他端部と、前記一端部と他端部の間のリング状部とを有し、前記一端部側の端面から入射して前記リング状部へ導入される光及び前記他端部側の端面から入射して前記リング状部へ導入される光によって発光するリング状発光体において、前記連結部には、前記リング状発光体の一端部側の端面及び他端部側の端面の、請求項４に記載の光源ユニットの前記第１光学系及び第２光学系に対する位置決めのために、前記光源ユニットに設けられた位置決め用ピンが挿入される開口が形成されていることを特徴とする。
【００２３】
請求項５に記載の発明によれば、連結部に位置決め用ピンが挿入される開口を形成することにより、該連結部を一端部と他端部とを連結する用途だけでなく、位置決めにも利用することが可能となる（該開口を形成するための部位の新規追加が不要）。
請求項６に記載の発明は、請求項１から３のいずれかに記載の発明において、前記リング状発光体は車両用灯具の外周に沿って組み付けられ、さらに、前記光源ユニットはハウジングに組み付けられていることを特徴とする。
【発明の効果】
【００２４】
本発明によれば、リング状発光体の輝度をさらに向上させることが可能なリング状発光体を用いた照明装置の提供が可能となる。
【発明を実施するための最良の形態】
【００２５】
以下、本発明の一実施形態であるリング状発光体を用いた照明装置について図面を参照しながら説明する。
【００２６】
図１は、本実施形態のリング状発光体を用いた照明装置の構成を説明するための図である。図２は、本実施形態のリング状発光体を用いた照明装置適用した車両のヘッドランプの正面図である。
【００２７】
本実施形態のリング状発光体を用いた照明装置１００（以下単に照明装置１００という）は、例えば、自動車等の車両に搭載される車両用照明装置や家庭用灯具等に適用されるものであり、図１に示すように、主として装飾目的のリング状発光体１０、リング状発光体１０に入射させ、該リング状発光体１０を発光させるための光を照射する光源ユニット２０等を備えている。
【００２８】
図１に示すように、リング状発光体１０は、一端部１１、一端部１１に連結部１２ａ、１２ｂを介してクロスした状態で連結された他端部１３、一端部１１と他端部１３の間のリング状部１４とを備えており、例えば、アクリル、ポリカーボネート等により一体的に形成されている。なお、一端部１１と他端部１３はクロスさせずに平行に隣接させた状態で連結部１２ａのみによって連結することも可能である（この場合、従来例のように、一端部１１及び他端部１３とリング状部１４とを屈曲部を介して連続させることになる）。
【００２９】
リング状発光体１０は、一端部１１側の端面１１ａ（平面）から入射しリング状部１４へ導入される光及び他端部１３側の端面１３ａ（平面）から入射しリング状部１４へ導入される光がリング状部１４の長手方向に沿って導光されるとともに、一部がリング状部１４の表面から照射されることによってリング状に発光する。
【００３０】
リング状発光体１０は、例えば、図２に示すように、ヘッドランプの外周（例えば、ヘッドランプの外周に相当するエクステンションの部分）に沿ってネジやフック等の公知の固定手段を用いて組み付けられている。なお、リング状発光体１０は、ヘッドランプ以外のリアランプ（リアランプの場合、第１光源２１ａ及び第２光源２１ｂとして赤色ＬＥＤ光源を用いることが考えられる）等の車両用灯具に対しても同様に組み付けることが可能である。
【００３１】
図１に示すように、リング状発光体１０の一端部１１と他端部１３とは、連結部１２ａ、１２ｂを介して連結されている。この連結部１２ａ、１２ｂによりリング状発光体１０の組み付け作業時等におけるリング状発光体１０の形状を維持することが可能となる。このように、リング状発光体１０の形状を維持することで、リング状発光体１０の一端部１１と他端部１３とが連結されていない場合と比べ、リング状発光体１０の組み付け作業をスムーズに行うことが可能となる。また、リング状発光体１０の成型性も向上する。
【００３２】
光源ユニット２０は、図３、図４に示すように、リング状発光体１０とは別体になっている。このため、リング状発光体１０と光源ユニット２０の組み付けの自由度や作業性が向上する。すなわち、光源ユニット２０とリング状発光体１０とが一体になっている場合と比べて、いずれか一方（リング状発光体１０又は光源ユニット２０）の組み付け作業時に他方が邪魔にならず、組み付け作業をスムーズに行うことが可能となる。また、リング状発光体１０のエクステンション等への組み付けと、光源ユニット２０のハウジング等への組み付けを、同じ場所でなく、異なる場所で行うことが可能となる。また、リング状発光体１０の組み付け作業時等に、光源ユニット２０がリング状発光体１０に対してぶらつくことがなく、両者の接続箇所等における破損を防止することが可能となる。また、いずれか一方（リング状発光体１０又は光源ユニット２０）に不具合が生じた場合（例えば、リング状部１４の破損、第１光源２１ａ等の寿命）には、リング状発光体１０及び光源ユニット２０の両方ではなく、不具合が生じた方のみ交換することで、元の正常な状態に戻すことが可能となる。
【００３３】
光源ユニット２０は、図３、図４、図５に示すように、第１光源２１ａ及び第２光源２１ｂ（図３、図４では、砲弾型ＬＥＤ光源２１ａ及び２２ｂを例示）が実装された基板２１、第１光学系２２ａ及び第２光学系２２ｂが一体的に設けられたレンズ付きカバー２２、位置決めピン２３ａが底面の略中央に一体的に設けられたケース２３等を備えている。なお、第１光源２１ａ、第２光源２１ｂとして、チップＬＥＤ等の他のＬＥＤ光源又は白熱電球等の他の光源を用いることも可能である。
【００３４】
基板２１には、図４に示すように、該基板２１のケース２３に対する位置決めのために、位置決め用ピン２３ａが挿入される開口２１ｃが形成されている。同様に、レンズ付きカバー２２には、第１光学系２２ａ及び第２光学系２２ｂの第１光源２１ａ及び第２光源２１ｂに対する位置決めのために、位置決め用ピン２３ａが挿入される開口２２ｃが形成されている。同様に、リング状発光体１０の連結部１２ａには、図４に示すように、リング状発光体１０の一端部１１側の端面１１ａ及び他端部１３側の端面１３ａの第１光学系２２ａ及び第２光学系２２ｂに対する位置決めのために、位置決め用ピン２３ａが挿入される開口１２ｃが形成されている。
【００３５】
基板２１及びレンズ付きカバー２２は、基板２１の開口２１ｃ及びレンズ付きカバー２２の開口２２ｃに位置決めピン２３ａを挿入し位置決めした後、ネジＮでケース２３に共締めされている。これにより、図３に示すように、レンズ付きカバー２２の表面から位置決めピン２３ａの先端が所定量突出した状態の光源ユニット２０が構成される。
【００３６】
上記構成のリング状発光体１０と光源ユニット２０は、例えば、次のようにして車両（エクステンション、ハウジング等）へ組み付けられる。
【００３７】
まず、リング状発光体１０をエクステンションの所定箇所に組み付ける。次に、該リング状発光体１０が組み付けられたエクステンションをハウジングに組み付ける。そして、最後に、図４に示すように、リング状発光体１０の開口１２ｃ（連結部１２ａに形成された開口１２ｃ）に位置決めピン２３ａの先端（レンズ付きカバー２２の表面から突出した位置決めピン２３ａの先端）を挿入し、位置決めされた状態の光源ユニット２０をネジ等の公知の固定手段を用いてハウジング等に組み付ける。
【００３８】
上記のように、共通の位置決めピン２３ａを用いたので、リング状発光体１０に対する各光学要素（第１光源２１ａ、第２光源２１ｂ、第１光学系２２ａ、第２光学系２２ｂ）及び各光学要素間の位置決めを同時に行うことが可能となる。また、リング状発光体１０に対する各光学要素（第１光源２１ａ、第２光源２１ｂ、第１光学系２２ａ、第２光学系２２ｂ）及び各光学要素間の位置決めのバラツキ等を抑えることが可能となり、第１光源２１ａ、第２光源２１ｂからの照射光を、リング状発光体１０に効率よく入射させることが可能となる。
【００３９】
本実施形態では、第１光源２１ａ及び第２光源２１ｂの照射範囲に照射される照射光のほぼ全てをリング状発光体１０に入射させるために、図４に示すように、第１光源２１ａとリング状発光体１０の一端部１１側の端面１１ａとの間には第１光学系２２ａが、第２光源２１ｂとリング状発光体１０の他端部１３側の端面１３ａとの間には第２光学系２２ｂが、それぞれ配置されている。
【００４０】
第１光学系２２ａ及び第２光学系２２ｂは、例えば、アクリル、ポリカーボネート等によりレンズ付きカバー２２に一体的に形成されている。
【００４１】
第１光学系２２ａは、図４、図５に示すように、レンズ付きカバー２２の表面（平面）に共通の出射面２２ａ３（平面）が形成された第１コリメートレンズ部２２ａ１及び第１集光レンズ部２２ａ２を備えている。同様に、第２光学系２２ｂは、図４、図５に示すように、レンズ付きカバー２２の表面（平面）に共通の出射面２２ｂ３（平面）が形成された第２コリメートレンズ部２２ｂ１及び第２集光レンズ部２２ｂ２を備えている。第１光学系２２ａと第２光学系２２ｂは同様の構成であるため、以下、第１光学系２２ａについて説明し、第２光学系２２ｂについての説明を省略する。
【００４２】
第１コリメートレンズ部２２ａ１は、図４、図５に示すように、第１光源２１ａの照射範囲のうち正面方向に照射される照射光を平行光に変換するためのレンズ部であり、第１光源２１ａ側に膨らんだ凸レンズ面（入射面）及びその反対側の共通の出射面２２ａ３を備えている。
【００４３】
上記のようにリング状発光体１０の開口１２ｃ（連結部１２ａに形成された開口１２ｃ）に位置決めピン２３ａの先端（レンズ付きカバー２２の表面から突出した位置決めピン２３ａの先端）が挿入され位置決めされると、第１コリメートレンズ部２２ａ１は、図４に示すように、第１光源２１ａとリング状発光体１０の一端部１１側の端面１１ａとの間に配置される。この配置において、共通の出射面２２ａ３（平面）は、リング状発光体１０の一端部１１側の端面１１ａ（平面）に対して平行かつ所定間隔をおいて対向した状態となる。また、レンズ部２２ａ１の焦点が第１光源２１ａ近傍に位置し、該レンズ部２２ａ１の光軸と第１光源２１ａの光軸が一致した状態となる。
【００４４】
このため、第１光源２１ａから正面方向に照射される照射光は、図６に示すように、第１コリメートレンズ部２２ａ１に入射し、平行光に変換されて共通の出射面２２ａ３から出射し、リング状発光体１０の一端部１１側の端面１１ａから入射し、リング状部１４に導入され、該リング状部１４を発光させる。
【００４５】
第１集光レンズ部２２ａ２は、図４、図５に示すように、第１光源２１ａの照射範囲のうち従来リング状発光体の発光に用いられていなかった側方に照射される照射光を集光するためのレンズ部であり、第１光源２１ａの周囲を覆う円筒面２２ａ４（入射面）及び円筒面２２ａ４から入射した第１光源２１ａからの照射光をリング状発光体１０の一端部１１側の端面１１ａに向けて集光反射するお椀型の反射面２２ａ５を備えている。
【００４６】
上記のようにリング状発光体１０の開口１２ｃ（連結部１２ａに形成された開口１２ｃ）に位置決めピン２３ａの先端（レンズ付きカバー２２の表面から突出した位置決めピン２３ａの先端）が挿入され位置決めされると、第１集光レンズ部２２ａ２は、図４に示すように、円筒面２２ａ４（入射面）が第１光源２１ａの周囲を覆うように配置された状態となる。反射面２２ａ５は、この配置において、その反射光をリング状発光体１０の一端部１１側の端面１１ａで全反射させず、該端面１１ａから効率よく入射させることが可能となるような適宜の形状に形成されている。
【００４７】
このため、第１光源２１ａから側方に照射される照射光は、図６に示すように、入射面２２ａ４から第１集光レンズ部２２ａ２に入射し、反射面２２ａ５でリング状発光体１０の一端部１１側の端面１１ａに向けて集光反射されて共通の出射面２２ａ３から出射し、リング状発光体１０の一端部１１側の端面１１ａから入射し、リング状部１４に導入され、該リング状部１４を発光させる。
【００４８】
以上説明した、第１光学系２２ａ（第１コリメートレンズ部２２ａ１及び第１集光レンズ部２２ａ２）とリング状発光体１０の一端部１１側の端面１１ａとの関係については、第２光学系２２ｂ（第２コリメートレンズ部２２ｂ１及び第２集光レンズ部２２ｂ２）とリング状発光体１０の他端部１３側の端面１３ａとの関係についても同様にあてはまる。
【００４９】
以上説明したように、本実施形態の照明装置１００によれば、図４に示すように、第１光源２１ａとリング状発光体１０の一端部１１側の端面１１ａとの間には第１光学系２２ａ（第１コリメートレンズ部２２ａ１及び第１集光レンズ部２２ａ２）が、第２光源２１ｂとリング状発光体１０の他端部１３側の端面１３ａとの間には第２光学系２２ｂ（第２コリメートレンズ部２２ｂ１及び第２集光レンズ部２２ｂ２）が、それぞれ配置されている。このため、第１光源２１ａ及び第２光源２１ｂの照射範囲（正面及び側方）に照射される照射光のほぼ全てをリング状発光体１０に入射させることが可能となる。これにより、従来と比べて、リング状発光体１０の輝度を向上させることが可能となる。
【００５０】
また、本実施形態の照明装置１００によれば、共通の位置決めピン２３ａを用いたので、リング状発光体１０に対する各光学要素（第１光源２１ａ、第２光源２１ｂ、第１光学系２２ａ、第２光学系２２ｂ）及び各光学要素間の位置決めを同時に行うことが可能となる。また、リング状発光体１０に対する各光学要素（第１光源２１ａ、第２光源２１ｂ、第１光学系２２ａ、第２光学系２２ｂ）及び各光学要素間の位置決めのバラツキ等を抑えることが可能となり、第１光源２１ａ、第２光源２１ｂからの照射光を、リング状発光体１０に効率よく入射させることが可能となる。これにより、従来と比べて、リング状発光体１０の輝度を向上させることが可能となる。
【００５１】
また、本実施形態の照明装置１００によれば、共通の出射面２２ａ３及びリング状発光体１０の一端部１１側の端面１１ａはいずれも平面である。そして、リング状発光体１０の開口１２ｃ（連結部１２ａに形成された開口１２ｃ）に位置決めピン２３ａの先端（レンズ付きカバー２２の表面から突出した位置決めピン２３ａの先端）が挿入され位置決めされると、図４に示すように、共通の出射面２２ａ３（平面）は、リング状発光体１０の一端部１１側の端面１１ａ（平面）に対して平行かつ所定間隔をおいて対向した状態となる。
【００５２】
このため、例えば、仮に位置決め用ピン２３、レンズ付きカバー２２等の寸法誤差により、共通の出射面２２ａ３とリング状発光体１０の一端部１１側の端面１１ａ（共通の出射面２２ｂ３とリング状発光体１０の他端部１３側の端面１３ａも同様）の位置関係が多少ズレることになったとしても、共通の出射面２２ａ３又は端面１１ａの少なくとも一方が曲面である場合と比べて、第１光源２１ａ（第２光源２１ｂも同様）からの照射光を、リング状発光体１０の一端部１１側の端面１１ａ（他端部１３側の端面１３ａ）から効率よく入射させることが可能となる。これにより、従来と比べて、リング状発光体１０の輝度を向上させることが可能となる。
【００５３】
また、本実施形態の照明装置１００によれば、共通の出射面２２ａ３及びリング状発光体１０の一端部１１側の端面１１ａはいずれも平面である。このため、第１光源２１ａ及び第２光源２１ｂから照射され共通の出射面２２ａ３及び２２ｂ３から出射される光の散乱を防止することが可能となる。
【００５４】
また、本実施形態の照明装置１００によれば、連結部１２ａに位置決め用ピン２３ａが挿入される開口１２ｃを形成することにより、該連結部１２ａを一端部１１と他端部１３とを連結する用途だけでなく、位置決めにも利用することが可能となる。
【００５５】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００５６】
【図１】本実施形態のリング状発光体を用いた照明装置の構成を説明するための図である。
【図２】本実施形態のリング状発光体を用いた照明装置適用した車両のヘッドランプの正面図である。
【図３】光源ユニットの斜視図である。
【図４】リング状発光体と光源ユニットの関係を説明するための側面図である。
【図５】レンズ付きカバーの斜視図である。
【図６】第１光源から照射された照射光の光路を説明するための図である。
【図７】従来のリング状発光体を用いた照明装置の構成を説明するための図である。
【符号の説明】
【００５７】
１００…照明装置、１０…リング状発光体、１１…一端部、１１ａ…端面、１２ａ、１２ｂ…連結部、１２ｃ…開口、１３…他端部、１３ａ…端面、１４…リング状部、２０…光源ユニット、２１…基板、２１ａ…第１光源、２１ｂ…第２光源、２１ｃ…開口、２２…レンズ付きカバー、２２ａ…第１光学系、２２ａ１…第１コリメートレンズ部、２２ａ２…第１集光レンズ部、２２ａ３…出射面、２２ａ４…円筒面（入射面）、２２ａ５…反射面、２２ｂ…第２光学系、２２ｂ１…第２コリメートレンズ部、２２ｂ２…第２集光レンズ部、２２ｂ３…出射面、２２ｂ４…円筒面（入射面）、２２ｂ５…反射面、２２ｃ…開口、２３…ケース、２３ａ…位置決め用ピン、Ｎ…ネジ
【図２】
0005152577.tif 000002
【図３】
0005152577.tif 000003
【図４】
0005152577.tif 000004
【図５】
0005152577.tif 000005
【図６】
0005152577.tif 000006
【図７】
0005152577.tif 000007
【図１】
0005152577.tif 000008